(57)【要約】  屋内空気および屋内環境内に位置する表面から悪臭を低減させるか、または除去するための組成物および方法が記載される。ｐＨが中性からやや酸性の水系液体組成物からの受動的蒸発から生じた蒸気相過酸化水素を用いて屋内環境内の空気および表面から悪臭を低減または除去する方法が提供される。少なくとも１種のｐＨが中性からやや酸性の過酸化水素を含有する固体化合物を含む固体組成物から昇華した蒸気相過酸化水素を用いる、屋内環境内の空気および表面から悪臭を低減または除去する別の方法が提供される。【特許請求の範囲】
【請求項１】
屋内環境内の空気および／または表面から悪臭を低減させる方法であって、前記空気または表面を、約１５℃〜約３０℃の温度範囲で約１〜約８ｐＨの範囲を有し約０．１重量％〜約５０重量％の過酸化水素を含む水系液体組成物から過酸化水素を受動的に蒸発させることにより得た蒸気相の過酸化水素で処理することを含む、方法。
【請求項２】
前記水系液体組成物が約０．１重量％〜約１０重量％の過酸化水素を含む、請求項１に記載の方法。
【請求項３】
前記水系液体組成物のｐＨの範囲が約２〜約７である、請求項２に記載の方法。
【請求項４】
前記組成物が、芳香剤、芳香剤可溶化剤、着色剤、増粘剤、ゲル化剤、固体微粒子増量剤、過酸化水素安定化剤、およびｐＨ調節用の酸のうち１種以上をさらに含む、請求項３に記載の方法。
【請求項５】
前記水系液体組成物が約０．５％〜約８％の過酸化水素を含む、請求項１に記載の方法。
【請求項６】
前記水系液体組成物のｐＨの範囲が約２〜約７である、請求項５に記載の方法。
【請求項７】
前記組成物が、芳香剤、芳香剤可溶化剤、着色剤、増粘剤、ゲル化剤、固体微粒子増量剤、過酸化水素安定化剤、およびｐＨ調節用の酸のうち１種以上をさらに含む、請求項６に記載の方法。
【請求項８】
前記水系液体組成物のｐＨの範囲が約３〜約６である、請求項７に記載の方法。
【請求項９】
水系液体組成物の受動的蒸発が加熱または送風機により促進される、請求項１に記載の方法。
【請求項１０】
屋内環境内の空気および／または表面から悪臭を低減させる方法であって、前記空気または表面を、ｐＨが中性からやや酸性である１種以上のペルオキソ水和物化合物を含む固体組成物から過酸化水素を昇華させることにより得た蒸気相の過酸化水素で処理することを含む、方法。
【請求項１１】
前記固体組成物が約０．１重量％〜約５０重量％の過酸化水素を含む、請求項１０に記載の方法。
【請求項１２】
前記固体組成物が約０．１重量％〜約１０重量％の過酸化水素を含む、請求項１０に記載の方法。
【請求項１３】
前記ペルオキソ水和物化合物が、１種類以上の尿素ペルオキソ水和物（ｕｒｅａ  ｐｅｒｏｘｏｈｙｄｒａｔｅ）；硫酸ナトリウムペルオキソ水和物（ｓｏｄｉｕｍ  ｓｕｌｆａｔｅ  ｐｅｒｏｘｏｈｙｄｒａｔｅ）、およびポリ（ビニルピロリドン）ポリマーのペルオキソ水和物を含む、請求項１２に記載の方法。
【請求項１４】
前記固体組成物が、粉末、顆粒、圧縮錠または結晶性固体の形態である、請求項１３に記載の方法。
【請求項１５】
前記固体組成物が、芳香剤、着色剤、界面活性剤、溶媒、結合剤、加工剤および過酸化水素安定化剤のうち１種以上をさらに含む、請求項１４に記載の方法。
【請求項１６】
過酸化水素の昇華が加熱または送風機により促進される、請求項１０に記載の方法。
【発明の詳細な説明】
【技術分野】
【０００１】
本発明は、蒸気相の過酸化水素の生成および使用による、空気中および表面からの臭気の低減または除去に関する。具体的には、本発明は、臭気の低減または除去を蒸気相の過酸化水素を用いて達成する、組成物および方法に関する。より具体的には、本発明は、少なくとも１種類のｐＨが中性からやや酸性の過酸化水素含有化合物を含む、ｐＨが中性からやや酸性の水性組成物または固体組成物から、蒸気相の過酸化水素を生成することにより、煙などの臭気を低減または除去する方法に関する。
【背景技術】
【０００２】
悪臭物質は様々な媒体中または媒体上あるいは表面上に存在し得る。屋内環境では、屋外環境と比較して一般に空気交換や空気循環が限られているため、人は屋内の表面上や屋内の空気中に含まれる悪臭に非常によく気がつきやすい。さらに、住居、ホテル、自動車内部、病院、オフィスビルなど多くの屋内環境において特定の悪臭が嗅覚により探知されると、その室内区域が不衛生または汚れているとの認識が生じる可能性がある。その他の臭気、例えば特定の食品、調理行為、およびタバコの吸殻等から生じる臭気は、不衛生であるとか汚いとは一般には思われないものの、多くの人々に不快と見なされ得る。従って、屋内表面に存在する悪臭または屋内空気中に含まれる悪臭を効果的に除去する必要性が存在する。このことは、空気中または家具、カーテンおよび敷物などの布地についたタバコの煙の悪臭に特に当てはまる。
【０００３】
屋内環境からの悪臭の除去を目的とした製品は数多く販売されている。表面の脱臭は、清掃（洗浄）により物理的に悪臭物質を除去することによって達成することができる。屋内の空気中に存在する悪臭は、強制換気扇と物理的な吸収剤との組み合わせや、静電沈着技術を利用した電気機器を用いて除去できる。酸化剤等の、悪臭物質と反応して悪臭物質を１種以上の無臭物質に変換する反応性化学物質（Ｒｅａｃｔｉｖｅ  ｃｈｅｍｉｓｔｒｉｅｓ）も、悪臭の低減／除去用途に用いることができる。
【０００４】
安価である程度の反応性を有する酸化剤である過酸化水素については、悪臭の除去や低減分野での用途が見出されている。しかしながら、そのような用途は一般に他の何よりもシステムが複雑であり、組成物が高価であって、かつ／または改良の余地がある。例えば、米国特許第４，０３６，９９４号は、レストランの網焼きグリルの排気から調理された食物および煙の臭気を除去するのに過酸化水素水溶液を用いることを開示しており、その一部はグリルの排出ガス流を過酸化水素水溶液で洗浄する（ｓｃｒｕｂｂｉｎｇ）ことで除去されている。この特許に記載される悪臭除去方法では、薄く高温のセラミック製ブリケットの上で食品を調理することによって潜在的な悪臭の焼却を促進することと、グリルの排出ガス流を過酸化水素水溶液で洗浄することと、続いて処理したガスを大気へ放出する前に周囲空気と混合することと、が必要とされる。
【０００５】
米国特許第４，５５０，０１０号は、悪臭のある空気を過酸化水素とオゾンの両方を含む水溶液で洗浄して、汚染空気中の悪臭を脱臭する方法を開示している。同様に、米国特許第５，９０４，９０１号は、オゾンと霧化した過酸化水素溶液の両方を生成し放出する装置を用いて屋内環境からの臭気の除去を開示しており、オゾンと霧化した過酸化水素との反応からヒドロキシルラジカルが生じることによって屋内環境中に存在する様々な悪臭物質を分解するとされている。
【０００６】
米国特許第５，０７１，６２２号および５，１３７，６８７号は、臭気を放出する下水処理システムから悪臭物質を除去する方法を開示している。この方法では、臭気を含むガスプルームコンデンセートの疎水性成分と、第一鉄イオン、タンニン酸、および過酸化水素の反応から得られる沈殿を含む、臭気を捕獲するコア粒子とを接触させることにより臭気の軽減が得られる。
【０００７】
米国特許第６，３６５，０９９  Ｂ１号および同第６，４９５，０９６  Ｂ１号は、下水収集／処理に付随する排液流から悪臭を有する還元された硫黄化合物を除去する方法およびシステムを開示している。上記’０９６号には、過酸化水素および硝酸イオンを含有する水性脱臭組成物、または過酸化水素、硝酸イオンおよび遷移金属塩を含有する水性脱臭組成物を利用する処理方法が記載されている。上記’０９６号の水性脱臭組成物は、排液流と直接混合される。上記’０９９号には、汚水管、下水管、幹線、およびその他の汚水内蔵システムの取扱または処理装置の内部においてアルカリ性の過酸化水素水溶液の微細なスプレー、ミストまたは霧を空気空間に噴射することにより、汚水取扱及び処理システムの蒸気空間から硫化物の臭気を低減または除去する方法およびシステムが記載されている。
【０００８】
米国特許第６，８１５，４０８  Ｂ２号は、様々な臭気除去および消毒に使用されるアルカリ性のリン酸塩含有過酸化水素水溶液組成物を開示している。この水性組成物は、アルカリ性過酸化水素水溶液のスプレーまたはミストを適用することにより空気処理ダクトの表面および内部へ導入される。アルカリ性リン酸塩は、開示される組成物の必須成分であり、過酸化物の酸化力を向上させ、また過酸化物安定剤として機能するとされる。
【０００９】
ＷＯ  ９４／１１０９１号は、遷移金属触媒および過酸化水素含有液を含有する固体充填層を取り付けた固定充填層スクラバーによってガス流を洗浄することによる、工業ガス流から臭気を除去するための触媒工程を開示している。
【００１０】
したがって、一般的に製造が単純かつ安価であり、屋内空気空間および表面からの悪臭、特にタバコの煙を効果的に低減または除去する組成物および方法が求められている。
【発明の開示】
【００１１】
住居、ホテル、自動車の内部、病院、およびオフィスビルなどの屋内環境は、その空気中に不快な臭気が発生することがある。同様に、そのような場所の固体状の表面も悪臭物質で汚染される可能性がある。場合によっては、その悪臭は単に空気交換／循環を強化してその場所の「空気の入れ替え」を行うことによって取り除くことができるが、空気空間または表面を化学処理することによってそのような悪臭を取り除くことが望ましいかまたは必要となる場合もありうる。加えて、そのような空気中または表面に連続的な長期の化学脱臭処理を数日間、数週間または数ヶ月間行うことが望ましい場合もあろう。
【００１２】
多くの屋内環境において、連続的な長期間の化学脱臭処理を行う際にヒトまたはその他の生物を退去させることは非実際的であるか、または不可能である。その場合に適用される化学処理は、そこにいる者に対して問題となりうる毒性や不快感をもたらしてはならない。例えば、オゾンガスは多くの種類の悪臭と効果的に反応し、悪臭を除去することが知られている。しかし、オゾンは有害な屋内空気汚染物質とされており、屋内空気中でのオゾンへの曝露は、多くの屋内環境について米国環境保護庁（「ＥＰＡ」）により厳しく規制されている。同様に、二酸化塩素ガスを反応性の悪臭除去試薬として用いることができる。オゾンと同様、二酸化塩素への曝露は毒物学的に重大な事項であり、ＥＰＡはこの物質に対して極めて低い許容曝露限界を規定している。また、ヒトの二酸化塩素の臭気検知閾値は非常に低く、多くの者は規定されたＥＰＡの空気中物質の曝露限界（ａｉｒｂｏｒｎｅ  ｅｘｐｏｓｕｒｅ  ｌｉｍｉｔｓ）よりはるかに低い水準で二酸化塩素の臭気を不快と感じる傾向がある。
【００１３】
本発明は、屋内空気、および屋内環境内に位置する表面から悪臭を低減または除去する組成物および方法を提供する。本発明は、そのような環境からタバコの臭気を低減または除去する際に特に有用であることが見出されている。
【００１４】
本発明の方法は、ｐＨが中性からやや酸性の水系液体組成物の受動的蒸発により生成された蒸気相の過酸化水素を用いることによる、屋内環境内の空気および表面からの悪臭の除去または低減を提供する。水系液体組成物は、約８重量％以下の過酸化水素を含むことが好ましい。「受動的蒸発」とは、蒸気相の過酸化水素が大量の水性組成物から直接蒸発することにより、長期間にわたってゆっくりと生成されることを意味する。ここには、水性組成物が大量の液体もしくは液体の液滴を機械的手段（手動操作または動力装置による注入、スプレー、ミスト化、霧化、または噴霧など）を用いて屋内の空気中に分散したり、直接屋内表面に適用する方法は含まれない。液体過酸化水素組成物のｐＨ範囲は、約１５〜３０℃の温度範囲で約８〜約１の範囲であることが好ましい。ｐＨが中性からやや酸性である水系液体組成物は、低粘度の流体、粘性ゲル、または高濃度の懸濁液を包含してよく、芳香剤／香料成分を含むその他の成分も含んでもよい。
【００１５】
本発明の別の方法は、ｐＨが中性からやや酸性の少なくとも１種の固体過酸化水素を含有するペルオキソ水和物化合物を含む固体組成物からの過酸化水素の昇華により生じた蒸気相の過酸化水素を用いる、屋内環境内の空気および表面からの悪臭の除去または低減を提供する。「昇華」とは、過酸化水素の蒸気が過酸化水素を含有する固体から直接放出されるプロセスをさす。「ｐＨが中性からやや酸性の過酸化水素を含有するペルオキソ水和物化合物」とは、過酸化水素分子を含み、当該化合物の精製水濃溶液のｐＨが約２０〜２５℃の温度範囲で約８未満となる化合物をさす。やや酸性の過酸化水素を含有するペルオキソ水和物化合物の好適な例としては、尿素ペルオキソ水和物（ｕｒｅａ  ｐｅｒｏｘｏｈｙｄｒａｔｅ）、ＣＯ（ＮＨ2）2・Ｈ2Ｏ2；硫酸ナトリウムペルオキソ水和物（ｓｏｄｉｕｍ  ｓｕｌｆａｔｅ  ｐｅｒｏｘｏｈｙｄｒａｔｅ）、２Ｎａ2ＳＯ4・Ｈ2Ｏ2・２Ｈ2Ｏ；およびポリ（ビニルピロリドン）ポリマーのペルオキソ水和物、ＰＶＰ−ｘＨ2Ｏ2が挙げられる。また、１種以上の過酸化物を含有する化合物を含む固体組成物は、１種以上の非過酸化物を含有する固体を含んでもよく、当該固体として例えば不活性型の無機塩や固体有機化合物増量剤が挙げられる。上記固体には、粉末、圧縮錠、結晶性固体、またはその他の容易に認識できる固体形態が包含される。また、上記固体組成物には、少量の液体または固体の芳香剤／香料成分が含まれてもよい。
【００１６】
上述の、およびその他の本発明の利点および特徴は、以下の本発明の範囲を網羅する詳細な説明および請求項を検討することによりさらに明らかとなり、理解されるであろう。
【発明を実施するための最良の形態】
【００１７】
過酸化水素は、その純粋形態ではわずかに刺激臭を有し、凝固点が−０．４℃である無色透明な液体である。純粋な液体過酸化水素の蒸気圧は２５℃で約２．０ｍｍＨｇであり、水（２５℃で約２４ｍｍＨｇ）の蒸気圧よりもやや低い。過酸化水素の水溶液は、２種類の混和性の揮発性液体の混合物として予想されるように、水蒸気と蒸気相過酸化水素の混合蒸気相組成物を提示する。例えば、Ｋｉｒｋ−Ｏｔｈｍｅｒ  Ｅｎｃｙｃｌｏｐｅｄｉａ  ｏｆ  Ｃｈｅｍｉｃａｌ  Ｔｅｃｈｎｏｌｏｇｙ，  ４th  Ｅｄｉｔｉｏｎ，  Ｖｏｌｕｍｅ  １３，  １９９５，  Ｗｉｌｅｙ−Ｉｎｔｅｒｓｃｉｅｎｃｅ  Ｐｕｂｌｉｃａｔｉｏｎ中の“Ｈｙｄｒｏｇｅｎ  Ｐｅｒｏｘｉｄｅ”、およびその中の参照文献を参照。
【００１８】
過酸化水素分子を固体／結晶付加物として含む無機および有機化合物をペルオキソ水和物または過水和物と呼ぶ。そのような材料が業務および技術文献中で多く知られており、炭酸ナトリウムペルオキソ水和物  ２Ｎａ2ＣＯ3・３Ｈ2Ｏ2（過炭酸ナトリウム）；炭酸アンモニウムペルオキソ水和物、（ＮＨ4）2ＣＯ3・Ｈ2Ｏ2；尿素ペルオキソ水和物、ＣＯ（ＮＨ2）2・Ｈ2Ｏ2（過酸化尿素）；硫酸ナトリウムペルオキソ水和物、２Ｎａ2ＳＯ4・Ｈ2Ｏ2・２Ｈ2Ｏ；および様々なペルオキソ水和物リン酸塩が挙げられる。様々なペルオキソ水和物の記載は、Ｋｉｒｋ−Ｏｔｈｍｅｒ  Ｅｎｃｙｃｌｏｐｅｄｉａ  ｏｆ  Ｃｈｅｍｉｃａｌ  Ｔｅｃｈｎｏｌｏｇｙ，  ４th  Ｅｄｉｔｉｏｎ，  Ｖｏｌｕｍｅ  １３，  １９９５，  Ｗｉｌｅｙ−Ｉｎｔｅｒｓｃｉｅｎｃｅ  Ｐｕｂｌｉｃａｔｉｏｎ中の“Ｈｙｄｒｏｇｅｎ  Ｐｅｒｏｘｉｄｅ、Ｐｅｒｏｘｏｈｙｄｒａｔｅｓ”、およびその中の参照文献に見出すことができる。化合物の過酸化水素含量が組成物の最大約２２重量％まで変化しうるポリマー含有ペルオキソ水和物のポリ（ビニルピロリドン）、ＰＶＰ・ｘＨ2Ｏ2は、米国ニュージャージー州ウェーン（Ｗａｙｎｅ，  Ｎｅｗ  Ｊｅｒｓｅｙ，  ＵＳＡ）のＩＳＰ社（ＩＳＰ  Ｃｏｒｐｏｒａｔｉｏｎ）からペロキシドン（Ｐｅｒｏｘｙｄｏｎｅ）（登録商標）として市販されている。
【００１９】
本発明者らは、過酸化水素を含み、ｐＨが約８以下である水性液体組成物が、屋内環境において受動的に蒸発し、屋内環境の空気空間および表面からの悪臭の除去または低減に有用な量の蒸気相過酸化水素を生じうることを見出した。アルカリ性の過酸化水素水溶液は、水および酸素ガスへの不均化に関して安定性がない。そのため、ｐＨ範囲が約１〜約８である中性からやや酸性の水性過酸化水素組成物を利用することが望ましい。このことにより、水性過酸化水素組成物の許容されうる長期安定性が得られる。より好ましくは、液体組成物のｐＨは約２〜約７の範囲である。最も好ましくは、液体組成物のｐＨは約３〜約６の範囲であり、この範囲において最適な生成物安定性が得られる。
【００２０】
本発明の方法は、過酸化水素の屋内空気空間への受動的蒸発に関する。本明細書において「受動的蒸発」とは、蒸気相過酸化水素が大量の水性組成物から直接長期間にわたってゆっくり生成されることを意味する。ここには機械的手段（手動操作かまたは動力装置による注入、スプレー、ミスト化、霧化、または噴霧など）を用いて水性組成物が屋内の空気中に分散するか、または直接屋内表面に大量の液体としてまたは液体の液滴として適用される方法は含まれない。水性のｐＨが中性からやや酸性の水性過酸化水素組成物は、均質な溶液であっても懸濁固体を含む不均質な分散体であってもよい。液体過酸化水素組成物の粘度の範囲は、「水で薄められた」流動体（２５℃にて約１０センチポイズ未満）の粘度から高粘性かつ硬質のゲル、ペーストまたは懸濁液（２５℃にて約１００，０００ｃｐｓ以上）のそれにまで至る。粘度増加剤には、過酸化物安定性の界面活性剤系、過酸化物安定性ポリマー、ならびに各種の固体無機増粘剤／増量剤（アルミナ、シリカ、および天然／合成粘土など）が含まれうる。
【００２１】
水性組成物中の過酸化水素の濃度は、組成物の最大約５０重量％を占めてよく、好ましくは組成物の約１０重量％未満であり、最も好ましくは組成物の約８重量％〜約０．５重量％である。水性組成物は、美的目的のために、芳香剤成分および芳香剤可溶化剤（界面活性剤もしくは溶媒など）および／または着色剤などのその他の成分を少量含んでもよい。最適な安定性のためには、水性組成物は、１種以上の過酸化水素安定化剤、例えば、スズ酸化合物、リン酸塩、有機ホスホン酸塩、およびアミノカルボン酸塩またはアミノホスホン酸塩に由来する各種キレート化剤なども含んでよい。様々な過酸化物安定化剤が参照により本明細書に援用される、Ｋｉｒｋ−Ｏｔｈｍｅｒ  Ｅｎｃｙｃｌｏｐｅｄｉａ  ｏｆ  Ｃｈｅｍｉｃａｌ  Ｔｅｃｈｎｏｌｏｇｙ，  ４th  Ｅｄｉｔｉｏｎ，  Ｖｏｌｕｍｅ  １３，  １９９５，  Ｗｉｌｅｙ−Ｉｎｔｅｒｓｃｉｅｎｃｅ  Ｐｕｂｌｉｃａｔｉｏｎ中の“Ｈｙｄｒｏｇｅｎ  Ｐｅｒｏｘｉｄｅ，  Ｓｔａｂｉｌｉｚａｔｉｏｎ”、およびその中の参照文献に開示されている。さらに追加される成分としては、ｐＨ調節のための過酸化物安定性の酸が挙げられ、限定されないが、硫酸、リン酸、スルファミン酸、酢酸、プロパン酸、クエン酸、アジピン酸、グルタル酸、コハク酸、およびポリアクリル酸が含まれうる。
【００２２】
低粘度の過酸化水素含有水溶液からの蒸気相過酸化水素の受動的な生成による悪臭の低減または除去用途として、各種の放出装置が好適に用いられる。液体吸い上げ装置（Ｌｉｑｕｉｄ  ｗｉｃｋｉｎｇ  ｄｅｖｉｃｅｓ）、例えば液体のエアーフレッシュナー用の容器兼放出装置などが特に有用である。本明細書に開示される本発明の方法および組成物に適した容器兼放出装置としては、参照により本明細書に援用される米国特許第２，８０２，６９５号；同第３，５５０，８５３号；同第４，２８６，７５４号；同第４，４１３，７７９号；同第４，９１３，３５０号；同第５，０００，３８３号；同第５，０１４，９１３号；同第５，１２１，８８１号；同第５，７４９，５１９号；同第５，７４９，５２０号；同第５，８７５，９６８号および同第６，８７１，７９４  Ｂ２号に述べられているものが挙げられる。このような装置を構成する材料は、本発明に記載される過酸化水素水溶液の酸化および腐食性に対する完全性を容器兼放出装置がもつように選択される。
【００２３】
本発明の粘性ゲルまたは懸濁液は、過酸化水素を含有する組成物が受動的に蒸発でき、屋内空気空間中に好適な濃度で蒸気相過酸化水素を生じるように、少なくとも１つの開口部を有する皿またはカップ状の容器内に収容されてよい。好適な容器の例としては、参照により本明細書に援用される米国意匠特許第２９５，６７５号；同第３０７，４６９号；同第３３２，９９９号；および同第３７６，００２号に開示されるものが挙げられる。
【００２４】
本発明の過酸化水素を含有する粘性ゲルまたは懸濁液と組み合わせて、様々な機械装置を利用してもよい。これらの装置としては、適当な容器の中に封入されている本発明の組成物を軽く加熱することにより、屋内環境内での蒸気相過酸化水素の効果的な生成を促進する装置が挙げられる。揮発性の液体組成物の分配を促進するために用いられるこのような加熱装置としては、参照により本明細書に援用される米国特許第３，６３３，８８１号；同第４，０２０，３２１号；同第４，９６８，４８７号；同第５，０３８，３９４号；同第５，２９０，５４６号；同第５，６４７，０５３号；同第５，９０３，７１０号；同第５，９４５，０９４号；同第５，９７６，５０３号；同第６，１２３，９３５号；および同第６，８６２，４０３  Ｂ２号に開示されるものが挙げられる。送風機型の装置を用いて、適当な容器の中に封入されている本発明の組成物を越えて空気を流すことにより、屋内環境内の蒸気相過酸化水素の生成を促進してもよい。揮発性の液体組成物の放出を促進するために用いられるそのような送風機型の装置としては、参照により本明細書に援用される米国特許第４，８４０，７７０号；同第５，３７０，８２９号；同第５，５４７，６１６号；同第６，３６１，７５２  Ｂ１号および同第６，３７１，４５０  Ｂ１号に開示されるものが挙げられる。
【００２５】
驚くべきことに、本発明者らは、特定の固体ペルオキソ水和物化合物が、室内の周囲空気に曝露されると、屋内環境の空気空間および表面からの悪臭の低減または除去に有用な量の蒸気相過酸化水素を放出することを見出した。これらのペルオキソ水和物化合物は、周囲の室温で過酸化水素を固体組成物から蒸気相へと昇華させる固体組成物の一部または全部を構成してもよい。固体組成物中に用いられるペルオキソ水和物の量は、ペルオキソ水和物の過酸化水素含量、および、ペルオキソ水和物を含む組成物の所望の放出速度に対する、所定のペルオキソ水和物からの過酸化水素蒸気の放出速度に依存する。周囲の屋内空気は一般に相当量の水蒸気を含み、アルカリ性のペルオキソ水和物化合物は、水蒸気に曝露されると水および酸素ガスへの不均化に関して不安定である。従って、ｐＨが中性からやや酸性のペルオキソ水和物化合物を利用することが必要である。「ｐＨが中性からやや酸性のペルオキソ水和物化合物」とは、当該化合物の精製水濃溶液（水中約５重量％）のｐＨが約２０〜２５℃の温度範囲で約ｐＨ８未満である、ペルオキソ水和物化合物をさす。
【００２６】
やや酸性の過酸化水素含有ペルオキソ水和物化合物の適した例としては、尿素ペルオキソ水和物、ＣＯ（ＮＨ2）２・Ｈ2Ｏ2；硫酸ナトリウムペルオキソ水和物、２Ｎａ2ＳＯ4・Ｈ2Ｏ2・２Ｈ2Ｏ；およびポリ（ビニルピロリドン）ポリマー、ＰＶＰ・Ｈ2Ｏ2（ポリマーＰＶＰペルオキソ水和物の過酸化水素含量が最大約２２重量％まで変動し得る）が挙げられる。また、１種以上の過酸化物を含有するペルオキソ水和物化合物を含有する固体組成物には、１種類以上の非過酸化物を含有する増量剤固体、例えば不活性型無機塩または固体有機化合物が含まれてもよい。不活性型増量剤の例としては、アルカリ金属硫酸塩、アルカリ土類硫酸塩、シリカ、アルミナ、およびタルクが挙げられる。
【００２７】
固体組成物は、粉末、圧縮錠、結晶性固体、またはその他の容易に認識できる固体形態を包含しうる。固体組成物中の過酸化水素含量は、約５０重量％程度に多くてもよいが、特に製品の加工および安定性の理由で約２５重量％以下が好ましい。より好ましくは、固体組成物の過酸化水素含量の範囲は約０．１重量％〜約１０重量％である。最も好ましくは、固体組成物の過酸化水素含量の範囲は約０．５重量％〜約８重量％である。
【００２８】
固体組成物は、美的目的のために、芳香剤成分、および／または着色剤を含む、少量のその他の成分を含んでよい。少量のその他の成分、例えば界面活性剤、溶媒、および加工助剤（例えば、固化防止剤、離型剤、成型剤または結合剤など）も本発明の固体組成物に含めることができる。安定性を最適にするためには、本発明の組成物には、１種以上の過酸化水素安定化剤、例えば、スズ酸化合物、リン酸塩、有機ホスホン酸塩、およびアミノカルボン酸塩またはアミノホスホン酸塩に由来する様々なキレート化剤なども含めてよい。様々な過酸化物安定化剤が参照により本明細書に援用される、Ｋｉｒｋ−Ｏｔｈｍｅｒ  Ｅｎｃｙｃｌｏｐｅｄｉａ  ｏｆ  Ｃｈｅｍｉｃａｌ  Ｔｅｃｈｎｏｌｏｇｙ，  ４th  Ｅｄｉｔｉｏｎ，  Ｖｏｌｕｍｅ  １３，  １９９５，  Ｗｉｌｅｙ−Ｉｎｔｅｒｓｃｉｅｎｃｅ  Ｐｕｂｌｉｃａｔｉｏｎ中の“Ｈｙｄｒｏｇｅｎ  Ｐｅｒｏｘｉｄｅ，  Ｓｔａｂｉｌｉｚａｔｉｏｎ”、およびその中の参照文献に開示されている。
【００２９】
本発明の固体の過酸化水素含有組成物は、蒸気相過酸化水素が屋内空気空間へ昇華できる各種の容器に包装されてよい。これらの包装としては、包装壁を通じて過酸化水素蒸気が透過できるようなパウチまたはバッグが挙げられる。また、固体組成物は、容器内から屋内空気空間へ蒸気相過酸化水素が透過するのに適した開口部を１以上有するカップまたは皿の中に収められてもよい。固体の過酸化水素含有組成物が粉末、顆粒、または微粒子の形態である場合、皿またはカップなどの容器は、振ったり逆さまにしたとき固体が容器から放出されることを防ぐための物理的障壁を有してもよい。適切な物理的障壁としては、固体粉末や微粒子は通過できないが、蒸気相過酸化水素は屋内空気空間へ透過できるように孔／メッシュの大きさが十分に小さい布地またはスクリーン型材料からなるカバーが挙げられる。
【００３０】
本発明の過酸化水素含有固体組成物と組み合わせて様々な機械装置を利用してもよい。それらの装置としては、適当な容器の中に封入されている本発明の組成物を軽く加熱することにより、屋内環境内の蒸気相過酸化水素の効果的な生成を促進する装置が挙げられる。揮発性の組成物の分配を促進するために用いられるそのような加熱装置としては、参照により本明細書に援用される米国特許第３，６３３，８８１号；同第４，０２０，３２１号；同第４，９６８，４８７号；同第５，０３８，３９４号；同第５，２９０，５４６号；同第５，６４７，０５３号；同第５，９０３，７１０号；同第５，９４５，０９４号；同第５，９７６，５０３号；同第６，１２３，９３５号；および同第６，８６２，４０３  Ｂ２号に開示されるものが挙げられる。送風機型の装置を用いて適当な容器の中に封入された本発明の組成物を越えて空気が流れるようにすることにより、屋内環境内の蒸気相過酸化水素の生成を促進してもよい。揮発性の液体組成物の放出を促進するために用いられるそのような送風機型の装置としては、参照により本明細書に援用される米国特許第４，８４０，７７０号；同第５，３７０，８２９号；同第５，５４７，６１６号；同第６，３６１，７５２  Ｂ１号および同第６，３７１，４５０  Ｂ１号に開示されるものが挙げられる。
【００３１】
また、容器を振って意図的に取り出し、家庭内における表面部（カーペットまたは家具カバーなど）に適用できるように、本発明の固体組成物を粉末またはその他の固体微粒子の形態で用いてよい。
【００３２】
本発明の固体過酸化水素含有組成物はまた、錠剤、円盤、パック、立方体、球、またはその他の適当な形を含む、一体型成型品に成型してよい。この場合、当該固体物品のマトリックスおよび表面積は、過酸化水素蒸気が該物品の表面から昇華することによってバルク組成物中を過酸化水素が効果的に透過できるように設計されている。
【００３３】
本発明者らは、過酸化水素を含むｐＨが中性からやや酸性の水性液体組成物の受動的な蒸発、または少なくとも１種類のｐＨが中性からやや酸性の固体過酸化水素を含有するペルオキソ水和物化合物を含む固体組成物からの過酸化水素蒸気の昇華により生じた、屋内空気環境内に含まれる低濃度の蒸気相過酸化水素が、屋内環境の空気空間および表面からの悪臭の低減または除去に対して有用であることを見出した。特に、本発明者らは、そのような組成物および方法が、タバコの煙の臭気を繊維製品、布地（衣類、家具の覆い、カーペット、カーテン類など）、およびその他の屋内表面から低減または除去するために、ならびに様々なその他の悪臭、特に還元硫黄および窒素化合物を含む悪臭を、屋内環境内の空気空間と様々な表面部分の両方から低減または除去するために有用であることを見出した。
【００３４】
以下の実施例は、本発明の組成物および方法の、屋内表面および屋内空気空間からの悪臭の低減または除去に対する有用性を説明するために示される。これらの実施例は本発明の範囲を制限することを意図しない。
【００３５】
実施例１：水性液体過酸化水素組成物からの蒸気相過酸化水素の生成
【００３６】
表１に示される、３種の液体水性過酸化水素組成物のサンプル５０グラムを、２３℃で維持された個別の６６リットルポリプロピレン製試験チャンバに入れた。試験チャンバ内部の蒸気相過酸化水素濃度を、米国ペンシルベニア州ピッツバーグ（Ｐｉｔｔｓｂｕｒｇｈ，  ＰＡ，  ＵＳＡ）のドレーゲルセーフティー社（Ｄｒａｅｇｅｒ  Ｓａｆｅｔｙ，  Ｉｎｃ．）製の過酸化水素センサを取り付けたドレーゲル・パック（Ｄｒａｅｇｅｒ  Ｐａｃ）ＩＩＩ（登録商標）ガスモニタを用いて長期にわたり定量化した。蒸気相過酸化水素の生成をｐｐｍの単位で表したものを表２に示す。
【００３７】
表１：酸性過酸化水素水溶液組成物１、２、３
【表１】
2008543369.tif 000002
+デクエスト（Ｄｅｑｕｅｓｔ）２０１０＝１−ヒドロキシエチリデン−１，１−ホスホン酸、水中活性６０％。米国ミズーリ州セントルイス（Ｓｔ．  Ｌｏｕｉｓ，  ＭＯ，  ＵＳＡ）のソルーシア社（Ｓｏｌｕｔｉａ，  Ｉｎｃ．）。
++ダウファックス（Ｄｏｗｆａｘ）２Ａ１＝ベンゼン、１，１−オキシビス−テトラプロピレン誘導体、スルホン化Ｎａ塩、水中活性４５％。米国ミシガン州ミッドランド（Ｍｉｄｌａｎｄ，  ＭＩ，  ＵＳＡ）のダウケミカル社（Ｄｏｗ  Ｃｈｅｍｉｃａｌ  Ｃｏｍｐａｎｙ，）。
【００３８】
表２：表１の水性液体過酸化水素組成物からの蒸気相過酸化水素の生成
【表２】
2008543369.tif 000003
【００３９】
実施例２：固体過酸化水素組成物からの蒸気相過酸化水素の生成
【００４０】
固体のペルオキソ水和物または過ホウ酸塩組成物のサンプル（表３に示される組成物４〜７）を、２３℃および相対湿度２０％または８０％で維持された個別の６６リットルポリプロピレン製試験チャンバに入れた。これらの組成物のｐＨ値を表４に示す。試験チャンバ内部の蒸気相過酸化水素濃度を、米国ペンシルベニア州ピッツバーグ（Ｐｉｔｔｓｂｕｒｇｈ，  ＰＡ，  ＵＳＡ）のドレーゲルセーフティー社（Ｄｒａｅｇｅｒ  Ｓａｆｅｔｙ，  Ｉｎｃ．）製の過酸化水素センサを取り付けたドレーゲル・パック（Ｄｒａｅｇｅｒ  Ｐａｃ）ＩＩＩ（登録商標）ガスモニタを用いて長期にわたり定量化した。蒸気相過酸化水素の生成をｐｐｍの単位で表したものを表５および６に示す。
【００４１】
表３：
【表３】
2008543369.tif 000004
【００４２】
表４：固体組成物４〜７を５重量％水溶液とした時のｐＨ値
【表４】
2008543369.tif 000005
【００４３】
表５：２３℃および相対湿度２０％における固体組成物４〜７からの蒸気相過酸化水素の生成
【表５】
2008543369.tif 000006
【００４４】
表６：２３℃および相対湿度８０％における固体組成物４〜７からの蒸気相過酸化水素の生成
【表６】
2008543369.tif 000007
【００４５】
このように、上記のデータは、蒸気相過酸化水素の生成のための固体の酸性ペルオキソ水和物化合物の有用性を説明する。ペロキシドン（Ｐｅｒｏｘｙｄｏｎｅ）（登録商標）および尿素−過酸化水素化合物は、蒸気相過酸化水素を効果的に生成する。双方は、ともに酸性水溶液を生じる固体のペルオキソ水和物化合物である。もう一つの固体のペルオキソ水和物化合物である過炭酸ナトリウムは、蒸気相過酸化水素を生成しない。過炭酸ナトリウムの水溶液はアルカリ性である。同様に、錯体化したペルオキソ陰イオン（Ｏ22-）を含有するアルカリ性のホウ酸塩である過ホウ酸ナトリウム一水和物も、蒸気相過酸化水素を生成しない。従って、ｐＨが中性からやや酸性のペルオキソ水和物化合物を含有する固体組成物のみが蒸気相過酸化水素を効果的に発生させ、ゆえに本明細書に記載される本発明の固体脱臭組成物に用いられる。
【００４６】
実施例３：過酸化水素含有水性液体組成物の受動的蒸発により生成された蒸気相過酸化水素を用いた、布地からのタバコ煙の悪臭の低減
【００４７】
７４Ｆ°および相対湿度４２％に保たれた、２００立方フィートのステンレス鋼チャンバの内部に、組成物１（表１）と同じ過酸化水素の８％水溶液の受動的蒸発によって蒸気相過酸化水素を生成した。５０グラムの８％水溶液を２つのペトリ皿に等分し、それらをチャンバの床面に置いた。室内の蒸気相過酸化水素の濃度を平衡状態にさせ（２４時間以内）、過酸化水素センサを取り付けたドレーゲル・パック（Ｄｒａｅｇｅｒ  Ｐａｃ）ＩＩＩ（登録商標）ガスモニタを用いて１．３〜１．５ｐｐｍとして測定した。
【００４８】
蒸気相過酸化水素濃度が試験チャンバ内部で平衡値に達した後、タバコの煙の臭気を染み込ませた２枚の８インチ×１０インチの綿布の見本を該２００立方フィートのチャンバ内に吊り下げた。８％過酸化水素水溶液の２つのペトリ皿はチャンバの中に残した。布地見本は、２００立方フィートの空間中に２４時間放置された。
【００４９】
２４時間後、試験見本をチャンバから取り出した。「嗅覚試験（ｓｎｉｆｆ−ｔｅｓｔ）」悪臭パネルによる評価のために、各見本を、蓋をした別個の１ガロンのガラス製試験ジャー内に入れた。「嗅覚試験」のパネリストが各ジャーのヘッドスペース中に存在するタバコの煙の悪臭の度合を格付けした（等級＝１〜７；１＝全くなし、７＝大量）。清潔な布（タバコの煙の臭気を含まない）からなる見本、およびタバコの煙の臭気で汚染されたが同一の試験チャンバ中で２４時間周囲空気で処理した布からなる試験見本についても、パネリストによる評価が行われた。試験は３反復制で行った。表７に示されるように、煙処理され蒸気相過酸化水素に曝露された試験見本のタバコの煙の悪臭が、同様に処理され周囲空気にのみ曝露された見本と比較して有意に低減したことが得られたデータにより実証された。
【００５０】
表７：同様の対照見本に対する、煙処理され蒸気相過酸化水素に曝露した見本のタバコ煙の悪臭の減少
【表７】
2008543369.tif 000008
【００５１】
実施例４：蒸気相過酸化水素を用いた、煙処理した布地からのタバコ煙の悪臭成分の減少に関する分析的測定
【００５２】
タバコ煙を染み込ませた綿布の蒸気相過酸化水素による処理が、組成物６（実施例２）の２０グラムのパウチ、吸取紙上の水１グラム、煙処理した布地を１ガロンのガラスジャーに入れて行われた。同様の対照サンプルを、煙処理した布地と水／吸取紙、周囲空間の空気とで１ガロンのガラスジャーから構成した。布地はジャーの蓋から吊り下げられた。静止したヘッドスペースサンプルが、固相マイクロ抽出（ＳＰＭＥ、スプレコ（Ｓｕｐｌｅｃｏ）パーツ＃５７３２６−Ｕ、ステーブルフレックス（Ｓｔａｂｌｅｆｌｅｘ）膜厚６５μｍ、ＰＤＭＳ−ＤＶＢ）を用いて２４時間後および４８時間後に回収された。ＤＢ−１ガラス製キャピラリーカラムおよび窒素リン検出器を備えたアジレント（Ａｇｉｌｅｎｔ）  ６８９０  ＧＣを用いてガスクロマトグラフィーデータを獲得した。対照サンプルから得られたガスクロマトグラフィーの主なピーク（煙の悪臭化合物を表す）のうちの４つを、煙処理され蒸気相過酸化水素に曝露した見本から得られる同じように溶出したピークとの比較のために選択した。煙処理され蒸気相過酸化水素に曝露した布から得られた４つのピークの各々のピーク面積の対照の煙処理した布のピーク面積に対する減少パーセントを、処理時間が２４時間および４８時間の場合について計算した。結果を表８に示す。データは３反復制で準備されたサンプルから得た。
【００５３】
表８：煙処理され蒸気相過酸化水素に曝露した布の対照布との比較。曝露時間２４時間および４８時間のタバコ煙ガス相成分のピーク面積減少パーセント
【表８】
2008543369.tif 000009
【００５４】
このように、蒸気相過酸化水素で処理された煙臭気汚染布に関する分析結果では、周囲空気でのみ処理された煙汚染布に対して評価用に選択された４つの煙の悪臭成分のガス相濃度が大きく減少したことが示された。この調査の結果は、煙が含浸された布を蒸気相過酸化水素処理することにより、蒸気相から得られた４つの悪臭成分のレベルが曝露２４時間後に７９〜１００％および曝露４８時間後に８０〜１００％減少したことを示した。本明細書には詳述されていない煙臭汚染に関するその他のガスクロマトグラフィーピークについても、同様の結果が観察された。
【００５５】
実施例３の「嗅覚試験パネル」の結果および実施例４の分析結果により、本発明の組成物および方法を用いた際の、知覚された（嗅覚の）煙の悪臭の減少と、悪臭成分の減少の分析的定量化との間の相関関係が示された。
【００５６】
ｐＨが中性からやや酸性の液体過酸化水素組成物を用いる本発明のもう一つの実施形態も、屋内空気および屋内表面からの悪臭の低減または除去に対する適用に効果的でありうる。このような実施形態には、水性液の液滴、ミスト、またはエアゾール形態としての屋内空気空間への物理的な散布が含まれうる。さらに他の実施形態には、そのような水性組成物を屋内における表面部分へ噴霧、ミスト化、または注入することが含まれる。これらの実施形態は、手動の引き金式／ポンプ式噴霧器または加圧型のエアゾール缶などの手動（使用者が作動させる）装置を用いるか、または、電動噴霧装置を用いることを含む、種々の手段により達成することができる。
【００５７】
本発明を特定の実施形態を参照して詳細に記載してきたが、限定目的でなく説明目的のために提示されたこれらの記載された実施形態以外によっても本発明が実践されうることを、当業者は当然理解するであろう。従って、添付される請求項の範囲は、本明細書に記載される実施形態の記述に限定されるべきではない。
【国際調査報告】
2008543369.tif 000010
2008543369.tif 000011
2008543369.tif 000012